(57)【要約】【課題】制御装置に部品を追加せず、ノイズ遮蔽構造を構成した洗濯機を提供することを課題とする。【解決手段】制御装置２７の回路配線基板２上に搭載したノイズにより悪影響を受け易い被ノイズ影響電子部品１の上部を覆うように、ノイズに影響されない、電池、電池ホルダー、放熱板等の電子部品を配設して、ノイズ遮蔽構造を構成することにより、製造原価を上昇させるような部品を追加することなく、ノイズによる電子部品への悪影響を抑制することが出来る。【選択図】図３
2016049372.tif 000002
【特許請求の範囲】
【請求項１】
モータ等を制御し、洗い、すすぎ、脱水の一連の行程を逐次制御する制御装置を備え、前記制御装置は、回路配線基板上に搭載したノイズにより悪影響を受け易い被ノイズ影響電子部品の上部を覆うように、ノイズに影響されない電子部品を配設して、ノイズ遮蔽構造を構成した洗濯機。
【請求項２】
前記制御装置は、ノイズ遮蔽構造のノイズに影響されない電子部品を電池および電池ホルダーとした請求項１に記載の洗濯機。
【請求項３】
前記制御装置は、ノイズ遮蔽構造のノイズに影響されない電子部品をアルミ板材から成る放熱板とした請求項１に記載の洗濯機。
【発明の詳細な説明】
【技術分野】
【０００１】
本発明は、洗い、すすぎ、脱水行程を自動電子制御して行う洗濯機に関するものである。
【背景技術】
【０００２】
従来、この種の洗濯機を始めとする家電製品は、マイクロコンピュータを使った電子制御が主流となっているが、この電子制御に用いる電子部品はノイズの影響を受けて誤動作を起こす恐れがあり、誤動作を防止するための制御装置のノイズ遮蔽構成が提案されている(例えば特許文献１参照)。
【０００３】
図６は、特許文献１に記載された従来の洗濯機等に搭載された制御装置のノイズ遮蔽構造を示す模式的斜視図である。
【０００４】
図６において、回路基板３１に搭載された一又は複数の電子部品（図示せず）を囲むように金属製のシールドケース４０を取り付けて固定することで、電子部品をノイズから遮蔽するようになっている。
【０００５】
シールドケース４０は、略矩形の４つの側壁部４１〜４４に囲まれた四角形状をしている。４つの側壁部４１〜４４のうちの略平行に設けられて対向する２つの側壁部４１および４３には、一側の縁部分の両端に脚部４５，４６および４７，４８がそれぞれ延出して設けてある。対角線上に設けられた側壁部４１の脚部４５および側壁部４３の脚部４７は、略矩形をしている。また、他の対角線上に設けられた側壁部４１の脚部４６および側壁部４３の脚部４８は、側壁部４１および４３からの延出端が屈曲した略Ｌ字型をしており、脚部４６と脚部４８とでは反対方向に屈曲した形状となっている。
【０００６】
回路基板３１には、シールドケース４０の４つの脚部４５〜４８を挿入する４つの貫通穴３２〜３５が、回路基板３１に搭載された電磁遮蔽を行なう電子部品の周囲に形成してある。４つの貫通穴３２〜３５は、同じ方向に長い長方形状の貫通穴であり、シールドケース４０の脚部４５〜４８が設けられた位置に応じて、回路基板３１に形成してある。
【０００７】
回路基板３１の表面からシールドケース４０の脚部４５〜４８を貫通穴３２〜３５にそれぞれ挿入した場合、回路基板３１の裏面に脚部４５〜４８の端部が突出するようになっており、脚部４６の係止爪４６ｂおよび脚部４８の係止爪４８ｂが、回路基板３１の裏面の貫通穴３３および貫通穴３５の周縁部分に当接して、シールドケース４０を回路基板３１に係止するようになっている。
【先行技術文献】
【特許文献】
【０００８】
【特許文献１】特開２００８−１１７９０８号公報
【発明の概要】
【発明が解決しようとする課題】
【０００９】
しかしながら、前記従来の構成では、専用のシールドケースを使用することにより、ノイズ遮蔽に有効であるが、部品の追加となるために、回路基板の形大化及び組立て工数の増加による製造原価の上昇という課題があった。
【００１０】
本発明は、前記従来の課題を解決するもので、シールドケース等のノイズ遮蔽を主目的
とした部品の追加を必要とせず、製造原価を上昇させることなく、ノイズによる電子部品への悪影響を効果的に抑制させるノイズ遮蔽構造を有する洗濯機を提供する。
【課題を解決するための手段】
【００１１】
前記従来の課題を解決するために、本発明の洗濯機は、モータ等を制御し、洗い、すすぎ、脱水の一連の行程を逐次制御する制御装置を備え、前記制御装置は、回路配線基板上に搭載したノイズにより悪影響を受け易い被ノイズ影響電子部品の上部を覆うように、ノイズに影響されない電子部品を配設して、ノイズ遮蔽構造を構成したものである。
【００１２】
これにより、製造原価を上昇させるような部品を追加することなく、ノイズによる電子部品への悪影響を抑制することが出来る。
【発明の効果】
【００１３】
本発明の洗濯機は、製造原価を上昇させるような部品を追加することなく、ノイズによる電子部品への悪影響を抑制することが出来る。
【図面の簡単な説明】
【００１４】
【図１】本発明の実施形態１における洗濯機の縦断面図
【図２】同洗濯機の制御装置のノイズ遮蔽構造例を示す模式的な斜視図
【図３】同制御装置のノイズ遮蔽構造例の模式的な断面図
【図４】同制御装置のノイズ伝達を示す概略回路図
【図５】本発明の実施形態２における洗濯機の制御装置のノイズ遮蔽構造例を示す模式的な断面図
【図６】従来の洗濯機等に搭載された制御装置のノイズ遮蔽構造を示す模式的斜視図
【発明を実施するための形態】
【００１５】
第１の発明は、モータ等を制御し、洗い、すすぎ、脱水の一連の行程を逐次制御する制御装置を備え、前記制御装置は、回路配線基板上に搭載したノイズにより悪影響を受け易い被ノイズ影響電子部品の上部を覆うように、ノイズに影響されない電子部品を配設して、ノイズ遮蔽構造を構成することにより、製造原価を上昇させるような部品を追加することなく、ノイズによる電子部品への悪影響を抑制することが出来る。
【００１６】
第２の発明は、特に、第１の発明の制御装置は、ノイズ遮蔽構造のノイズに影響されない電子部品を電池および電池ホルダーとする構成とすることにより、製造原価を上昇させるような部品を追加することなく、ノイズによる電子部品への悪影響を抑制することが出来る。
【００１７】
第３の発明は、特に第１の発明の制御装置は、ノイズ遮蔽構造のノイズに影響されない電子部品をアルミ板材から成る放熱板とする構成とすることにより、製造原価を上昇させるような部品を追加することなく、ノイズによる電子部品への悪影響を抑制することが出来る。
【００１８】
以下、本発明の実施の形態について、図面を参照しながら説明する。また、この実施の形態によって本発明が限定されるものではない。
【００１９】
（実施の形態１）
図１は，本発明の実施の形態１における洗濯機の縦断面図を示すものである。
【００２０】
図１において、本体１１は、複数のサスペンション１２により水槽１３をその内部に懸垂防振支持している。洗濯・脱水軸１４は中空で２軸構造としている。洗濯兼脱水槽１５
は側壁に多数の脱水孔（図示せず）を有するとともに、内周の上部に振動低減用の流体バランサ１７を有し、中央内底部には衣類攪拌用の攪拌翼１８が配設されている。
【００２１】
伝達機構部１９は、内部に洗濯時の減速ギア（図示せず）および洗濯・脱水軸１４の切り換えクラッチ（図示せず）と、脱水時に洗濯兼脱水槽１５の回転を停止するためのブレーキ（図示せず）を内蔵している。
【００２２】
モータ２０は、水槽１３の底部に取り付けられ、その動力を洗濯・脱水軸１４に伝達し、攪拌翼１８，及び洗濯兼脱水槽１５を回転させる。
【００２３】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。
【００２４】
上部枠体２４の前部には、各種の入力設定を行ない、設定内容を表示する操作表示部２８を配設している。そして、操作表示部２８の内方には、モータ２０等を制御し、洗い、すすぎ、脱水の一連の行程を逐次制御する制御手段（図示せず）を有する制御装置２７を配し、後方側の内部には、電磁力により開閉可能な給水弁２９を配設している。
【００２５】
図２は、本発明の実施の形態１における洗濯機の制御装置のノイズ遮蔽構造例を示す模式的な斜視図、図３は、同制御装置のノイズ遮蔽構造例の断面図、図４は、同制御装置の制御装置のノイズ伝達を示す概略回路図を示す。
【００２６】
本実施の形態１では、ノイズ遮蔽構造例として、現在時刻／カレンダー設定手段に用いるＩＣや水晶振動子などの、ノイズにより悪影響を受けやすい電子部品に対するノイズ遮蔽構造を例に挙げて説明する。
【００２７】
図２、図３において、制御装置２７の各種の電子部品が搭載された回路配線基板２上には、ノイズにより悪影響を受けやすい電子部品である現在時刻／カレンダー設定手段に用いるＩＣや水晶振動子などの被ノイズ影響電子部品１が配設されている。
【００２８】
そして、この現在時刻／カレンダー設定手段に用いるＩＣや水晶振動子である被ノイズ影響電子部品１を覆うように、電池３、および電池３を保持する電池ホルダー４が配設されている。電池ホルダー４の一端は負極４ａであり、他端は正極４ｂとなっている。
【００２９】
つまり、被ノイズ影響電子部品１を、ノイズ遮蔽部品としてノイズに影響されない電池３と電池ホルダー４の負極４ａ、正極４ｂで覆うことにより、被ノイズ影響電子部品１に及ぼすノイズを遮蔽するノイズ遮蔽構造となっている。
【００３０】
図４において、インバータ回路などのノイズ発生源５から発せられたノイズは、ノイズ発生源からノイズ遮蔽部品である電池ホルダー４の負極４ａ、正極４ｂへの容量結合等によるノイズ伝達６により、電池ホルダー４の負極４ａ、正極４ｂへ伝達され、そのノイズは電池ホルダー４の負極４ａ、正極４ｂから、被ノイズ影響電子部品１への容量結合等によるノイズ伝達７により被ノイズ影響電子部品１へ伝達される。
【００３１】
しかし、電池ホルダーの負極４ａは、ＧＮＤ等の低インピーダンス配線であり、また、電池３により接続された電池ホルダーの正極４ｂも定電圧源であり、低インピーダンス配線となるため、伝達されたノイズは分圧され効果的に抑制され、被ノイズ影響電子部品１に影響することは無い。
【００３２】
なお、実施形態１についてノイズ遮蔽装置の電池ホルダー４ａ、４ｂは金属製の電池溶接タイプにて模式図を記載しているが、これに限るものではなく溶接タイプ、非溶接タイプまた金属製や樹脂製などの電池ホルダーを用いてもよい。
【００３３】
また、被ノイズ影響電子部品１は、現在時刻／カレンダー設定手段に限るものではなくマイコンなどノイズの影響を受けやすい部品でもよい。
【００３４】
また、ノイズ発生源５をノイズ遮蔽部品である電池３、電池ホルダー４の負極４ａ、正極４ｂの外側に配置し、ノイズ遮蔽を行いたい被ノイズ影響電子部品１を、ノイズ遮蔽部品である電池３、電池ホルダー４の負極４ａ、正極４ｂの内側に配置しているが、これに限るものではない。ノイズ遮蔽を行いたい被ノイズ影響電子部品１をノイズ遮蔽部品である電池３、電池ホルダー４の負極４ａ、正極４ｂの外側に、ノイズ発生源５をノイズ遮蔽部品である電池３、電池ホルダー４の負極４ａ、正極４ｂの内側に配置し、ノイズを外部に漏らさない構造とすることもノイズ遮蔽に効果的である。
【００３５】
以上のように、本実施の形態１においては、制御装置２７の回路配線基板２上に搭載したノイズにより悪影響を受け易い被ノイズ影響電子部品１の上部を覆うように、ノイズに影響されない電子部品を配設して、ノイズ遮蔽構造を構成することにより、製造原価を上昇させるような部品を追加することなく、ノイズによる電子部品への悪影響を抑制することが出来る。
【００３６】
また、ノイズ遮蔽構造のノイズに影響されない電子部品を電池３および電池ホルダー４とする構成とすることにより、製造原価を上昇させるような部品を追加することなく、ノイズによる電子部品への悪影響を抑制することが出来る。
（実施形態２）
図５は、実施の形態２における洗濯機の制御装置のノイズ遮蔽構造例を示す模式的な断面図である。なお、ノイズ遮蔽構造以外は実施の形態１と同じであり、説明を省略する。
【００３７】
図５において、制御装置２７の各種の電子部品が搭載された回路配線基板２上には、ノイズにより悪影響を受けやすい電子部品である現在時刻／カレンダー設定手段に用いるＩＣや水晶振動子などの被ノイズ影響電子部品１が配設されている。
【００３８】
そして、この現在時刻／カレンダー設定手段に用いるＩＣや水晶振動子である被ノイズ影響電子部品１を覆うように、各種の電子部品９や１０が取り付けられたアルミ板材からなるコ字状の放熱板８が、配設されている。また、放熱板８は、図示しないＧＮＤ等の低インピーダンス配線に接続されている。
【００３９】
つまり、被ノイズ影響電子部品１を、ノイズ遮蔽部品として、各種の電子部品９や１０を取り付けた放熱板８で覆うことにより、被ノイズ影響電子部品１に及ぼすノイズを遮蔽するノイズ遮蔽構造となっている。
【００４０】
なお、被ノイズ影響電子部品１は、現在時刻／カレンダー設定手段に限るものではなくマイコンなどノイズの影響を受けやすい部品でもよい。
【００４１】
また、放熱板８は、コ字状として模式図に記載しているが、形状はこれに限るものではない。Ｌ字状にすることや周囲を囲った形にすることも、またノイズ遮蔽には効果的である。
【００４２】
以上のように、本実施の形態２においては、ノイズ遮蔽構造のノイズに影響されない電子部品をアルミ板材から成る放熱板８とする構成とすることにより、製造原価を上昇させ
るような部品を追加することなく、ノイズによる電子部品への悪影響を抑制することが出来る。
【産業上の利用可能性】
【００４３】
以上のように、本発明にかかる洗濯機は、製造原価を上昇させるような部品を追加することなく、ノイズによる電子部品への悪影響を抑制することが出来るので、電子制御を行なう他の洗濯機を始めとする家電製品の用途に適用できる。
【符号の説明】
【００４４】
１  被ノイズ影響電子部品
２  回路配線基板
３  電池
４  電池ホルダー
８  放熱板
１１  本体
１３  水槽
１５  洗濯兼脱水槽
１８  攪拌翼
２０  モータ
２４  上部枠体
２７  制御装置
【図１】
2016049372.tif 000003
【図２】
2016049372.tif 000004
【図３】
2016049372.tif 000005
【図４】
2016049372.tif 000006
【図５】
2016049372.tif 000007
【図６】
2016049372.tif 000008